(57)【要約】【課題】伸縮自在な洗濯用ネット構造を提供しようとする。【解決手段】入り口側面２から始まり、伸張状態の包囲面４の、封閉側面３に向かって延びる途中位置までの部分をネット袋の本体部５と定め、その本体部の入り口側面には、その側面を横断し又は外縁に沿って入り口ファスナー帯６を設けたことによりネット袋の開閉を可能とし、本体部の終端となる包囲面部位には袋体を周回するファスナー片縁８ａを形成すると共に、ネット袋の封閉側面の外縁には、そのファスナー片縁と係合すべきファスナー他片縁８ｂを周回形成し、これらファスナー両片縁の各周回の始端部が各終端部の内側を通って逆戻り状に延長し且つ本体部の終端と封閉側面外縁との間におけるネット袋の包囲面上において互いに等角度で漸近し、会合部でファスナーの係合開始端９ｃを形成したものである。【選択図】  図１
2004242818.tif 000002
【特許請求の範囲】
【請求項１】
入り口側面と封閉側面と、これらの側面の外縁に連結された両側縁を有する包囲面とからなるドラム状又は箱状の正規立体形状をもつ洗濯用ネット袋であって、前記入り口側面から始まり、伸張状態の包囲面の、前記封閉側面に向かって延びる途中位置までの部分をネット袋の本体部と定め、前記本体部の前記入り口側面には、その側面を横断し又は外縁に沿って入り口ファスナー帯を設けたことによりネット袋の開閉を可能とし、前記本体部の終端となる包囲面部位には袋体を周回するファスナー片縁を形成すると共に、前記ネット袋の封閉側面の外縁には、前記ファスナー片縁と係合すべきファスナー他片縁を周回形成し、これらファスナー両片縁の各周回の始端部が各終端部の内側を通って逆戻り状に延長し且つ前記本体部の終端と封閉側面外縁との間におけるネット袋の包囲面上において互いに等角度で漸近し、会合部でファスナーの係合開始端を形成したことにより、ファスナー締結具を、この係合開始端から前記ファスナー両片縁の終端部まで移動させて、前記封閉側面を前記本体部の終端に合体させ、その終端と前記封閉側面までの包囲面部分を前記本体部内に折り込んでネット袋を縮小できるようにしたことを特徴とする洗濯用ネット袋。
【請求項２】
前記伸張状態のネット袋の全容積が、本体部の容積の２倍以上であることを特徴とする請求項１記載の洗濯用ネット袋。
【発明の詳細な説明】
【０００１】
【発明の属する技術分野】
本発明は伸縮自在な洗濯用ネット袋に関するものである。
【０００２】
【従来の技術】
近年、洗濯用ネットに関しては適用する衣類や、量等に応じて種々の構造のものが開発されている。このうち使用状態と準備状態に適するように形態を変更する方式としては、ファスナーによる部分脱着と、部分的な折り畳みを利用することが多い  （例えば、特許文献１及び特許文献２参照。）。
【０００３】
【特許文献１】
特開２００１‐２５２４９６号公報（要約、及び図１〜図４参照）
【０００４】
【特許文献２】
実公平７−２７０２３号公報（実施例の項、第４段、及び図１〜図４参照）
図２参照）
【０００５】
しかしながら、特許文献１に代表される洗濯用ネットは、本体底部の周縁にファスナー帯を取り付け、このファスナー帯を開いたとき、そのファスナーの片縁を有するネット底面がファスナー帯の終始端部から垂れ下がるとともに、ネット本体袋内に収納していたスカート状のカバーネットが、開放した本体底縁から垂れ下がり、本体内に吊り下げた洗濯済みの下着類等を、本体及びスカート部で覆いながら、物干し台等で干すことが出きるものであって、ネット袋の収納容積自体を伸縮調整できるものではない。
【０００６】
また、特許文献２に代表される洗濯用ネットは、矩形状の両辺からなり、一側縁に袋開閉用ファスナー帯を設けると共に、両端縁に袋体そのものを円筒状にするためのファスナー帯両片縁を装着し、洗濯機の回転翼に取り付け容易としたものである。従って、この形式の洗濯用ネットにおいても、ネット袋の収納容積自体を伸縮調整できるものではない。
【０００７】
【発明が解決しようとする課題】
袋体とした洗濯用ネットにおいて、その袋体の大きさ（容積）を伸縮調整できるということは、例えば、ネットごとに利用者を特定し、収縮した手ごろな大きさでその人専用の洗濯依頼品の詰め袋とすれば、洗濯時にはそのネットを伸張させることにより、拡大した容積内で依頼品（衣類等）の移動スペース  （自由度）を大きくして洗濯能率を高めると共に、そのまま乾燥しても衣類等にしわが寄りにくいという効果が得られる。また、利用者にとっても自分専用のネットであるため、他人の衣類等との接触や混乱がないという安心感を与えることが出きる。
【０００８】
従って、本発明の課題は、収納容積を変えるために伸縮調整自在とした洗濯用ネット袋を提供することである。
【０００９】
【課題を解決するための手段】
本発明は上記の課題を解決するため、入り口側面と封閉側面と、これらの側面の外縁に連結された両側縁を有する包囲面とからなるドラム状又は箱状の正規立体形状をもつ洗濯用ネット袋であって、前記入り口側面から始まり、伸張状態の包囲面の、前記封閉側面に向かって延びる途中位置までの部分をネット袋の本体部と定め、前記本体部の前記入り口側面には、その側面を横断し又は外縁に沿って入り口ファスナー帯を設けたことによりネット袋の開閉を可能とし、前記本体部の終端となる包囲面部位には袋体を周回するファスナー片縁を形成すると共に、前記ネット袋の封閉側面の外縁には、前記ファスナー片縁と係合すべきファスナー他片縁を周回形成し、これらファスナー両片縁の各周回の始端部が各終端部の内側を通って逆戻り状に延長し且つ前記本体部の終端と封閉側面外縁との間におけるネット袋の包囲面上において互いに等角度で漸近し、会合部でファスナーの係合開始端を形成したことにより、ファスナー締結具を、この係合開始端から前記ファスナー両片縁の終端部まで移動させて、前記封閉側面を前記本体部の終端に合体させ、その終端と前記封閉側面までの包囲面部分を前記本体部内に折り込んでネット袋を縮小できるようにしたものである。
【００１０】
上記の構成において、「正規立体形状」とは各部裁断寸法通りの平面と曲面で形成される立体形状のことである。この正規立体形状を為す前記伸張状態のネット袋の全容積を、本体部の容積の２倍以上とすれば、収縮時に無理なく収容した量の衣類等を、効果的に洗濯及び乾燥工程に供することが出来る。
【００１１】
【発明の実施の形態】
本発明の好ましい実施形態は、図１及び図２に示す通りである。この実施形態による洗濯用ネット袋１は、ドラム状の正規立体形状を有するものである。図１において、ネット袋１の右側は入り口側面２であり、左側は封閉側面３である。これらの側面２，３の外縁に連結された両側縁を有する包囲面４はドラム周面を形成する。これらの側面２，３と、包囲面４は同一の耐水／耐薬品性ネット地からなり、図示の伸張状態（正規立体形状）において、入り口側面２から始まり、包囲面４の、封閉側面３に向かって延びる途中位置までの部分をネット袋の本体部５と定め、この本体部５の始まりである入り口側面２には、その側面を横断する入り口ファスナー帯６が設置され、洗濯物出し入れのためのネット袋の開閉を可能とする。７はそのファスナー帯６の終端に位置した締結具である。
【００１２】
包囲面４において、前記本体部５の終端となる部位には袋体を周回するファスナー片縁８ａが形成される。これに対応して、ネット袋１の封閉側面３の外縁には、そのファスナー片縁８ａと係合すべき他方のファスナー片縁８ｂが周回形成される。これらファスナー両片縁８ａ、８ｂの各周回の始端部９ａ、９ｂは、各終端部９ａ’、９ｂ’の内側  （包囲面４に接する側）を通ってから包囲面４上を逆戻り状に延長して互いに等角度で漸近し、会合部でファスナーの係合開始端９ｃを形成する。
【００１３】
図１において、ファスナーの係合開始端９ｃに位置しているファスナー締結具１０を、この係合開始端９ｃから前記ファスナー両片縁８ａ、８ｂの終端部９ａ’、９ｂ’まで移動させると、図２に示すように左側の封閉側面３は前述した本体部５の終端に合体する。これにより、本体部５の終端と封閉側面３までに存在した包囲面部分４’は本体部５内に折り込まれるため、ネット袋の外形（従って容積）が縮小される。
【００１４】
上記の実施形態において、伸張状態のネット袋１の全容積は、本体部の容積の約２倍としたが、３〜４倍程度にまで拡大して洗濯物の収納許容量を更に大きくすることが出きる。しかし倍率を余り大きくすると、収縮時に封閉側の包囲面部分を袋本体内に折り込み収納しにくくなることに留意すべきである。
【００１５】
図３及び図４に示す実施形態による洗濯用ネット袋１１は、箱状の正規立体形状を有する。図３において、ネット袋１１の手前側は矩形状の入り口側面１２であり、後側は側面１２と同様な矩形状の封閉側面１３である。これらの側面１２，１３の外縁に連結された両側縁を有する包囲面１４はこの場合、スーツケース状の連続した上下前後端面を形成する。これらの側面１２，１３と、包囲面１４は同一の耐水／耐薬品性ネット地からなり、図示の幅伸張状態（正規立体形状）において、入り口側面１２から始まり、包囲面１４の、封閉側面１３に向かって幅方向に延びる途中位置までの部分をネット袋の本体部１５と定め、この本体部１５の始まりである入り口側面１２には、その側面の上縁に沿った入り口ファスナー帯１６が設置され、洗濯物出し入れのためのネット袋の開閉を可能とする。１７はそのファスナー帯１６の終端に位置した締結具である。
【００１６】
包囲面１４において、前記本体部１５の終端となる部位には袋体を周回するファスナー片縁１８ａが形成される。これに対応して、ネット袋１１の封閉側面１３の外縁には、そのファスナー片縁１８ａと係合すべき他方のファスナー片縁１８ｂが周回形成される。これらファスナー両片縁１８ａ、１８ｂの各周回の始端部１９ａ、１９ｂは、各終端部１９ａ’、１９ｂ’の内側  （包囲面１４に接する側）を通ってから包囲面１４上を逆戻り状に延長して互いに等角度で漸近し、会合部でファスナーの係合開始端１９ｃを形成する。
【００１７】
図３において、ファスナーの係合開始端１９ｃに位置するたことにより、ファスナー締結具１１を、この係合開始端１９ｃから前記ファスナー両片縁１８ａ、１８ｂの終端部１９ａ’、１９ｂ’まで移動させると、図４に示すように後側の封閉側面１３は前述した本体部１５の終端に合体する。これにより、本体部１５の終端と封閉側面１３までに存在した包囲面部分１４’は本体部１５内に折り込まれ、ネット袋の外形（従って容積）が、より扁平となって縮小される。
【００１８】
【発明の効果】
以上述べたとおり、本発明は洗濯用ネットにおいて、袋体としての外形（容積）自体を伸縮調整できるようにしたので、例えば、ネットごとに利用者を特定し、収縮した手ごろな大きさでその人専用の洗濯依頼品の詰め袋とすれば、洗濯時にはそのネットを伸張させることにより、拡大した容積内で依頼品（衣類等）の移動スペース  （自由度）を大きくして洗濯能率を高めると共に、そのまま乾燥しても衣類等にしわが寄りにくいという効果が得られる。また、利用者にとっても自分専用のネットであるため、他人の衣類等との接触や混乱がないという安心感を与えることが出きる、等の効果を有するものである。
【００１９】
また、収縮時、本体内に折り込み挿入される部分を本体部の両側に形成して、収縮調整を２段階にし、使い勝手及び洗濯能率をさらに高めることもできる。
【図面の簡単な説明】
【図１】本発明の好ましい実施形態におけるドラム状ネット袋の、伸張状態における正規立体形状を示す斜視図である。
【図２】図１のドラム状ネット袋がファスナー締め合わせにより収縮した状態を示す斜視図である。
【図３】本発明の好ましい実施形態における箱状ネット袋の、伸張状態における正規立体形状を示す斜視図である。
【図４】図３の箱状ネット袋がファスナー締め合わせにより収縮した状態を示す斜視図である。
【符号の説明】
１、１１  洗濯用ネット袋
２，１２  入り口側面
３，１３  封閉側面
４，１４  包囲面
４’，１４’  包囲面の折り込み収納部
５  １５  ネット袋の本体部
６，１６  入り口ファスナー帯
７，１７  締結具
８ａ、１８ａ  ファスナー片縁
８ｂ、１８ｂ  他方のファスナー片縁
９ａ、９ｂ、１９ａ、１９ｂ  ファスナーの周回始端部
９ａ’、９ｂ’、１９ａ’、１９ｂ’  ファスナーの終端部
９ｃ、１９ｃ  ファスナーの係合開始端
１０  締結具
【図１】
2004242818.tif 000003
【図２】
2004242818.tif 000004
【図３】
2004242818.tif 000005
【図４】
2004242818.tif 000006